(57)【特許請求の範囲】
【請求項１】
可視光を照射する照射部と、
当該照射部で物品に照射された光の反射光に基づいて物品情報を読み取り当該物品情報を入力する入力部と、
前記入力部によって入力された物品情報に基づいて印字媒体に対して印字する印字部と、
前記印字部による印字後、排出された前記印字媒体を保持する保持部と、
前記照射部が照射した光の反射光を前記入力部が読み取るか否かを切り替える切替部と、  前記物品と前記保持部との距離を前記光の反射光により検知する検知部と、
前記切替部にて、前記入力部が前記光の反射光を読み取らない状態に切り替えた場合、前記検知部の検知結果に基づいて前記照射部が照射する可視光を変化させる光制御部と、を備えたことを特徴とする携帯型プリンタ。
【請求項２】
前記光制御部は、前記物品と前記保持部との距離が近づいたことを前記検知部が検知した場合、前記照射部が照射する可視光を拡大させることを特徴とする請求項１記載の携帯型プリンタ。
【請求項３】
物品の無線タグに記憶された物品情報を電波で読み取り当該物品情報を入力する入力部と、
この入力部によって入力された物品情報に基づいて印字媒体に対して印字する印字部と、
この印字部による印字後、排出された前記印字媒体を保持する保持部と、
この保持部と前記物品との距離を前記電波の反射量により検知する検知部と、
前記印字媒体の貼り付け位置に可視光を照射する照射部と、
この照射部が照射する可視光を前記検知部の検知結果に基づいて変化させる光制御部と、を備えたことを特徴とする携帯型プリンタ。
【請求項４】
可視光を照射する照射部と、この照射部で物品に照射された光の反射光に基づいて物品情報を読み取り当該物品情報を入力する入力部と、この入力部によって入力された物品情報に基づいて印字媒体に対して印字する印字部と、前記照射部が照射した光の反射光を前記入力部が読み取るか否かを切り替える切替部と、前記物品と前記印字部による印字後に排出された前記印字媒体を保持する保持部との距離を前記光の反射光により検知する検知部と、前記切替部にて、前記入力部が前記光の反射光を読み取らない状態に切り替えた場合、前記検知部の検知結果に基づいて前記照射部が照射する可視光を変化させる光制御部と、を備えた携帯型プリンタによる印字媒体の添付方法であって、
前記印字された印字媒体を携帯型プリンタから露出した状態で保持し、前記印字媒体が貼り付けられるべき位置に前記印字媒体を貼り付けることを特徴とする携帯型プリンタによる印字媒体貼付方法。
【請求項５】
物品の無線タグに記憶された物品情報を電波で読み取り当該物品情報を入力する入力部と、この入力部によって入力された物品情報に基づいて印字媒体に対して印字する印字部と、この印字部による印字後、排出された前記印字媒体を保持する保持部と、この保持部と前記物品との距離を前記電波の反射量により検知する検知部と、前記印字媒体の貼り付け位置に可視光を照射する照射部と、この照射部が照射する可視光を前記検知部の検知結果に基づいて変化させる光制御部と、を備えたことを特徴とする携帯型プリンタによる印字媒体の添付方法であって、
前記印字された印字媒体を携帯型プリンタから露出した状態で保持し、前記印字媒体が貼り付けられるべき位置に前記印字媒体を貼り付けることを特徴とする携帯型プリンタによる印字媒体貼付方法。
【発明の詳細な説明】
【技術分野】
【０００１】
本発明は、携帯型プリンタに関する。
【背景技術】
【０００２】
従来、物品に付されたタグや荷札などに印刷されたバーコードや二次元コード等のシンボルから物品を表す物品コード等の情報を読み取るスキャナと、このスキャナにより読み取った物品コードを元にラベル等の印字媒体に印字する印字部とが一体となった携帯型プリンタが知られている。（例えば、特許文献１）
【０００３】
操作者は、この携帯型プリンタを使用して、スキャナで読み取ったバーコード等の情報を元に印字されたラベルを物品等の貼り付け対象物に対してラベルを貼り付ける。操作者がスキャナ付プリンタを使用する際は、当該スキャナ付プリンタからラベルを排出する排出部は、ラベル貼り付け対象の物品と対面する位置に位置付けられる。このため、操作者が物品に対してラベルを貼り付ける場合、操作者はラベルが排出される排出部を目視により確認することが難しく、排出部とラベルを貼り付けるべき位置との関係を容易に把握することができないという問題がある。
【０００４】
また、スキャナをプリンタに搭載したことにより、操作者がラベル貼り付け動作を行う際にスキャナ付プリンタ本体が妨げとなって、操作者の視界が遮られ、上記と同様に排出部とラベルを貼り付けるべき位置との関係を把握することが難しくなるという問題がある。
【発明の概要】
【発明が解決しようとする課題】
【０００５】
本発明は、上記事情に鑑みてなされたものであって、所望する貼り付け位置に対して容易にラベルを貼り付けることが可能となる携帯型プリンタ及び印字媒体貼付方法を提供することを目的とする。
【課題を解決するための手段】
【０００６】
可視光を照射する照射部と、当該照射部で物品に照射された光の反射光に基づいて物品情報を読み取り当該物品情報を入力する入力部と、前記入力部によって入力された物品情報に基づいて印字媒体に対して印字する印字部と、前記印字部による印字後、排出された前記印字媒体を保持する保持部と、前記照射部が照射した光の反射光を前記入力部が読み取るか否かを切り替える切替部と、前記物品と前記保持部との距離を検知する検知部と、前記切替部にて、前記入力部が前記光の反射光を読み取らない状態に切り替えた場合、前記検知部の検知結果に基づいて前記照射部が照射する可視光を変化させる光制御部を備える。
【０００７】
可視光を照射する照射部と、この照射部で物品に照射された光の反射光に基づいて物品情報を読み取り当該物品情報を入力する入力部と、この入力部によって入力された物品情報に基づいて印字媒体に対して印字する印字部と、前記照射部が照射した光の反射光を前記入力部が読み取るか否かを切り替える切替部と、前記物品と前記印字部による印字後に排出された前記印字媒体を保持する保持部との距離を検知する検知部と、前記切替部にて、前記入力部が前記光の反射光を読み取らない状態に切り替えた場合、前記検知部の検知結果に基づいて前記照射部が照射する可視光を変化させる光制御部と、を備えた携帯型プリンタによる印字媒体の添付方法であって、前記印字された印字媒体を携帯型プリンタから露出した状態で保持し、前記印字媒体が貼り付けられるべき位置に前記印字媒体を貼り付けることを特徴とする。
【発明の効果】
【０００８】
本発明にかかる携帯型プリンタによれば、操作者が所望する貼り付け位置に対して容易にラベルを貼り付けることができるという効果を奏する。
【図面の簡単な説明】
【０００９】
【図１】図１は、本実施の形態にかかるスキャナ付プリンタの外観図である。
【図２】図２は、本実施の形態にかかるスキャナ付プリンタの内部構造図である。
【図３】図３は、本実施の形態にかかるスキャナ付プリンタの構成を示すブロック図である。
【図４】図４は、本実施の形態にかかるスキャナ付プリンタの情報読取の模式図である。
【図５】図５は、本実施の形態にかかるスキャナ付プリンタの機能ブロック図である。
【図６】図６は、本実施の形態にかかるスキャナ付プリンタの光制御部による可視光の照射制御の流れを示すフローチャートである。
【図７】図７は、本実施の形態にかかるスキャナ付プリンタのガイド部による可視光の照射の様子を示す図である。
【発明を実施するための形態】
【００１０】
以下に添付図面を参照して、この発明にかかる携帯型プリンタの最良な実施の形態を詳細に説明する。なお、本実施の形態では、物品に付されるタグや荷札等に印刷されたバーコード等に対して光を当てて、その反射光から画像を読み取るスキャナ付プリンタに適用した例について説明する。
【００１１】
図１は、本実施の形態にかかるスキャナ付プリンタの外観図である。図２は、本実施の形態にかかるスキャナ付プリンタの内部構造図である。本実施の形態にかかるスキャナ付プリンタ１は、スキャナ１０１、表示器１０２、キー入力部１０３、トリガスイッチ１０４、握り部１０５、サーマルヘッド１０６、プラテンローラ１０７、ロール紙１０８などを備えている。
【００１２】
スキャナ１０１は、物品に付されるタグ等に印刷されたバーコードや二次元コードなどに対して光を当てて、その反射光から物品を表す物品情報を読み取ることによって物品情報を入力する入力部である。なお、本実施の形態では、バーコードや二次元コードなどのシンボルに対して光を当てて、その反射光から物品を表す物品情報を読み取ることで物品情報を入力する入力部としたが、例えば、バーコードや二次元コードなどに赤外線を当てて、その反射波から物品を表す物品情報を読み取り入力する入力部やＣＣＤ（Charge Coupled Device）スキャナを用いて画像データを読み取り解析して、物品情報を読み取り入力する形態やＲＦＩＤ（Radio  Frequency  Identification）タグなどの無線タグから、当該無線タグに記憶された物品情報を読み取を読み取り入力する無線通信部を用いても良い。また、キーボード等を用いて物品情報を入力する入力部等であってもよい。
【００１３】
また、スキャナ１０１は、物品等に対して可視光を照射することにより、物品上にラベル貼り付け位置を示すガイド部として機能する。この場合、操作者は当該可視光を確認しながらスキャナ付プリンタの保持部１１０（ラベル排出部）を物品の光が照射されている箇所に近づける。本実施の形態は、１つのスキャナ１０１にて物品情報を入力する入力部と上述したガイド部とが一体として形成されている例を用いて示す。なお、本発明が本実施の形態に限られることはなく、入力部とガイド部とが各々別体として形成されていてもよい。
【００１４】
表示器１０２は、液晶ディスプレイなど、物品情報や操作情報（例えば、手動入力された値引き額）などを表示するものである。キー入力部１０３は、ユーザにより操作情報等が入力されるものである。
【００１５】
握り部１０５は、ユーザがスキャナ付プリンタ１を握る部分であり、符号１０５ａで示す部分が導電性ポリマー材料で形成されている。なお、符号１０５ａで示す部分は、導電性ポリマー材料の特性である導電性により、スキャナ付プリンタ１に生じた静電気を当該部分に接触した人体を介して放電させる。
【００１６】
トリガスイッチ１０４は、握り部１０５に設けられ、スキャナ１による物品情報の読み取りを要求するスイッチである。
【００１７】
なお、トリガスイッチ１０４は、当該トリガスイッチ１０４を操作したユーザの指紋情報を検知する検知部１０４ａを備えていてもよい。
【００１８】
プラテンローラ１０７は、後述するサーマルヘッド１０６に対向して配置されて台紙付きラベルが巻き回されたロール紙１０８から台紙付きラベルを引き出し、引き出した台紙付きラベルをサーマルヘッド１１２の印刷位置に搬送する搬送ローラであり、導電性ポリマー材料で構成されて導電性を確保したものである。
【００１９】
サーマルヘッド１０６は、プラテンローラ１０７により印刷位置に搬送されてきた台紙付きラベルを加熱して、値引き額や値札を印刷するものである。
【００２０】
保持部１１０は、スキャナ付プリンタ１から排出されたラベルが物品等の貼り付け対象に対して張り付けられる前に、当該ラベルを保持する箇所である。すなわち、スキャナ付プリンタにて印刷されたラベルは、スキャナ付プリンタ１の内部から外部へと排出される。このとき、排出されたラベルは、剥離機構（図示しない）により台紙が剥離されており、裏面に粘着層を有したラベルのみがスキャナ付プリンタ１から排出されることとなる。この排出されたラベルは保持部１１０にて保持される。
【００２１】
図３は、本実施の形態にかかるスキャナ付プリンタの構成を示すブロック図である。本実施の形態にかかるスキャナ付プリンタ１は、各種の演算処理を実行して各部を集中的に制御するＣＰＵ（Central  Processing  Unit）２０１を有している。このＣＰＵ２０１には、ＲＡＭ（Random  Access  Memory）２０３、および電源を切っても記憶内容を保持することができる不揮発性記憶部であるＦＲＯＭ（Flash  Read  Only  Memory）２０２がシステムバス（図示しない）を介して接続されている。
【００２２】
ＦＲＯＭ２０２は、スキャナ付プリンタ１の動作プログラムや各種設定情報を記憶する。ＣＰＵ２０１は、ＦＲＯＭ２０２に記憶された動作プログラム（値引き額や値札の印刷、値引き額の手動入力など物品に関する関連処理を実行するプログラムを含む）をＲＡＭ２０３にコピーして実行することにより各部を制御する。さらに、ＦＲＯＭ２０２は後述する光制御部５０５により実行される動作プログラムを記憶している。
【００２３】
ＲＡＭ２０３は、各種の可変情報を一時的に記憶するものであり、スキャナ付プリンタ１により印刷を行ったユーザと当該ユーザが実際に印刷した印刷枚数や印刷内容を示す印刷情報とを対応付けた印刷情報テーブル、スキャナ付プリンタ１により印刷を行ったユーザと当該ユーザがスキャナ付プリンタ１により印刷した時間を示す時間情報とを対応付けた時間情報テーブルなどを記憶している。なお、スキャナ付プリンタ１が時計機能を実装している場合には、ＲＡＭ２０３は、スキャナ付プリンタ１により印刷を行ったユーザと当該ユーザが実際に行った印刷日時を記憶するものとする。
【００２４】
また、ＲＡＭ２０３は、台紙付きラベルに印刷する値引き額や値札等の印刷データ（画像データ）が展開される印刷バッファとして利用される。印刷データは、ホストコンピュータ２から受信した印刷対象となるデータであっても良いし、ＦＲＯＭ２０２に記憶されているデータであっても良いし、キー入力部１０３から入力された値引き額等であっても良い。
【００２５】
また、ＣＰＵ２０１には、表示制御回路２０４、通信Ｉ／Ｆ２０５、モータ制御回路２０６、ヘッド制御回路２０８、電源回路２０９、スキャナ制御回路２１１、キー入力部１０３、トリガスイッチ１０４がシステムバス（図示しない）を介して接続されている。
【００２６】
表示制御回路２０４は、ＣＰＵ２０１の制御のもとで、表示器１０２における表示（関連処理を選択するための操作画像を含むメニュー画面など）を制御する。通信Ｉ／Ｆ２０５は、ホストコンピュータ２などの外部の機器と通信を行うためのインタフェースである。通信Ｉ／Ｆ２０５は、例えばＩｒＤＡ等の赤外線通信、ＵＳＢ（Universal  Serial  Bus）、無線ＬＡＮ（Local  Area  Network）、ＲＳ−２３２Ｃ、Ｂｌｕｅｔｏｏｔｈ（登録商標）等により構成され、ホストコンピュータ２に設けられた通信Ｉ／Ｆとの通信が可能である。
【００２７】
モータ制御回路２０６は、ＣＰＵ２０１の制御のもとで、プラテンローラ１０７の駆動源であるステッピングモータ２０７を制御する。ヘッド制御回路２０８は、ＣＰＵ２０１の制御のもとで、サーマルヘッド１０６に印刷制御信号を出力する。スキャナ制御回路２１１は、ＣＰＵ２０１の制御のもとで、スキャナ１０１による物品情報の読み取りを制御する。
【００２８】
電源回路２０９は、キー入力部１０３によるスキャナ付プリンタ１の電源のＯＮ／ＯＦＦに従って、バッテリ２１０からスキャナ付プリンタ１の各部への電力の供給／遮断を制御する。
【００２９】
次に、図４を用いてスキャナ付プリンタによるラベル貼付処理の概要を説明する。操作者はスキャナ付プリンタ１を把持し、物品４１に付されたバーコードや二次元コードなどのシンボル４３を読み取るスキャナ１０１から光を照射し、その反射光から物品４１を表す物品情報を読み取る。なお、図４に示す矢印４４はスキャナ１０１が物品情報を入力する入力部として機能する場合の物品に対して照射する光の仮想線である。また、ガイド部がガイド光として照射する光（ガイド光）の経路を示す仮想線でもある。なお、本実施の形態では入力部とガイド部とはスキャナ１０１にて一体として形成されている状態を想定して説明する。なお、ガイド部が照射する可視光（ガイド光）の照射のタイミングは必ずしも入力部としてのスキャナ１０１による光照射を行った後に照射する必要はなく、入力部としてのスキャナ１０１による光照射の前からガイド光が照射されていてもよい。
【００３０】
スキャナ１０１により、物品情報を読み取ると当該物品情報に基づいてスキャナ付プリンタ１が内蔵する印字部はラベルに印字を行う。印字後、スキャナ付プリンタ１はこの印字を行ったラベルをプリンタ本体１から排出するとともに、ガイド部にて、ラベルを貼り付けるべき位置にガイド光が照射される。操作者は、このガイド部により物品４１に照射されている光を目印としてスキャナ付プリンタ１の保持部をラベルを貼り付けるべき位置に近づける。なお、ラベルを貼り付ける位置とは、操作者が所望するラベル貼り付け位置を意味する。例えば、タグ４２に印字されているバーコード４３の上にラベル貼り付けを行いたい場合は、当該箇所がラベルを貼り付ける位置となる。
【００３１】
次に、ＦＲＯＭ２０２に記憶された動作プログラムをＣＰＵ２０１が実行することにより実現する機能について、図６に示すフローチャートを用いて説明する。図６は、本実施の形態にかかる後述するスキャナ付プリンタ１の光制御部５０５による可視光４４の照射制御の流れを示すフローチャートである。
【００３２】
本実施の形態のスキャナ付プリンタ１で実行されるプログラムは、図５に示す各部（切替部５０１、読出部５０２、印刷部５０３、検知部５０４、光制御部５０５）を含むモジュール構成となっており、実際のハードウェアとしてはＣＰＵ２０１が上記ＦＲＯＭ２０２からプログラムを読み出して実行することにより上記各部がＲＡＭ２０３上にロードされ、上述した各部（切替部５０１、読出部５０２、印刷部５０３、検知部５０４、光制御部５０５）がＲＡＭ２０３上に生成されるようになっている。
【００３３】
本実施の形態では、入力部とガイド部とがスキャナ１０１にて一体で形成され、かつ、入力部が光学機構にて形成されている。切替部５０１は、スキャナ１０１が物品に対して照射した光の反射光を当該スキャナ１０１が読み取るか否かを切り替えるものである。かかる場合、スキャナ１０１を物品情報を入力する入力部として使用する際は、反射光を読み取るモードに設定する。そして、スキャナ１０１をガイド部として使用する際は、切替部５０１によりスキャナ１０１が照射した光である反射光を読み取らないモードに切り替える。これにより、入力部とガイド部とをスキャナ１０１にて一体として形成することが可能となる。
【００３４】
なお、切替部５０１は上記実施の形態に限られるものではない。すなわち、入力部とガイド部とが別体で形成されている場合は、スキャナ１０１から照射した光の反射光を読み取るか否かを切り替える構成ではなく、入力部とガイド部のどちら一方から照射する光を切り替える構成であってもよい。なお、入力部とガイド部とが別体で形成されている場合は、入力部から照射する光の反射光は読み取られるが、ガイド部が照射する光の反射光は読み取られない構成となっている。
【００３５】
読出部５０２は、スキャナ１０１によりタグ４２に印字等されているバーコード４３から読み取られた物品情報である物品コードが示す物品の関連情報を読み出せたか、あるいは読み出せなかったか否かを判断する
【００３６】
印刷部５０３は、読出部により読み出された物品情報を印刷データに変換する。そして、印刷部５０３は、ヘッド制御回路２０８を介してサーマルヘッド１０６を制御して、関連情報の印刷データを台紙付きラベルに印刷する。そして、スキャナ付プリンタ１を操作する操作者は、物品情報が印刷されたラベルを物品に貼り付ける。
【００３７】
検知部５０４は、ガイド部が照射する可視光（ガイド光）が物品に照射され、物品から反射される反射光の光量の変化を判断して、スキャナ付プリンタ１とラベル貼り付け位置との距離が近づいているか、若しくは離れているか否かを判断する。なお、検知部はかかる形態に限られるものではなく、スキャナが無線タグを読み取る無線リーダライタであった場合は、予め、電波を送出しておき、送出した電波が物品にあたりはねかえってきた電波の反射量の変化を見てスキャナ付プリンタ１と貼り付け位置との距離の変化を検知するものであってもよい。
【００３８】
光制御部５０５は、検知部５０４による検知結果に基づいて、ガイド部が照射する可視光（ガイド光）を変化させる制御を行う。例えば、ラベル等の印字媒体が貼り付けられるべき位置とスキャナ付プリンタの保持部との距離が近づくにつれて、ガイド部が照射する可視光の幅を広げる若しくは可視光の強度を強めるように制御するものであってもよい。特に、本実施の形態では、スキャナ付プリンタ１が貼り付け対象位置に近接した場合は、スキャナ付プリンタ本体により物品に照射する可視光が隠れてしまうおそれがあり、ラベル貼り付け対象位置と保持部との位置関係を把握することが難しくなる。このため、スキャナ付プリンタ１が近接するにしたがって光制御部は、可視光（ガイド光）の幅を、ラベルの幅方向に広げる制御を行うものであることが望ましい。
【００３９】
図６は、スキャナ付プリンタ１によるラベル貼付処理の流れを示すフローチャートである。まず、読出部５０２は、スキャナ１０１により物品４１に付されているタグや荷札４２などに記載されているバーコード４３から物品情報が読み取られたか否かを判断する（Ａｃｔ６０１）。バーコード４３から物品情報が読み取られたと判断した場合は（Ａｃｔ６０１のＹｅｓ）、物品情報を印刷部に渡してラベルに対して印字を開始する（Ａｃｔ６０２）。
【００４０】
ラベルへの印字が完了すると（Ａｃｔ６０３）、切替部５０１はスキャナ１０１が照射する光の反射光を読み取るか否かを切り替える指令があったか否かを判断する。切り替える指令があった場合、スキャナ１０１を反射光を読み取らない状態となるように切り替える（Ａｃｔ５０４）。切替部５０１にてスキャナ１０１が反射光を読み取らない構成に切り替わったことにより、次にスキャナ１０１が光を照射する場合はガイド部として機能する。すなわち、切替部５０１によりスキャナ１０１が照射する光はバーコードなどのシンボルを読み取るための光からスキャナ付プリンタ１を貼り付け位置にガイドするためのガイド光に切り替わる。
【００４１】
ガイド光に切り替えるように切替部５０１により、命令があった場合（Ａｃｔ６０４のＹｅｓ）、光制御部５０５はガイド部から一定の幅の可視光を照射するように制御する（Ａｃｔ６０５）。かかる場合、例えば、図７（ａ）に示すとおり、ガイド部から照射するガイド光はバーコード４３の幅に合わせた光照射であればよい。
【００４２】
次に、検知部５０４は、ガイド部が照射する可視光（ガイド光）から反射される反射光の照射量の変化を判断して、スキャナ付プリンタ１とラベル貼り付け位置との距離が近づいているか、若しくは離れているか否かを判断する（Ａｃｔ６０６、Ａｃｔ６０７）。
【００４３】
検知部５０４が、スキャナ付プリンタ１とラベル貼り付け位置との距離が近づいていると判断した場合（Ａｃｔ６０７のＹｅｓ）、光制御部５０５は、ガイド光の幅を一定のガイド光の幅から広げる制御を行う（Ａｃｔ６０８）。例えば、図７（ｂ）に示す光制御部５０５は少なくともバーコードの幅よりも広くガイド光の幅を広げて照射する。かかる処理により、操作者はラベル貼り付け位置とスキャナ付プリンタ１の保持部１１０との位置関係を容易に把握することが出来、操作者は可視光を辿ってスキャナ付プリンタ１の保持部１１０をラベル貼り付け面に対して誘導することができる。
【００４４】
スキャナ付プリンタ１はラベル貼り付け位置に対してラベル貼り付けが完了したことを検知するとラベル貼り付け処理が終了する（Ａｃｔ６０８）
【００４５】
なお、ガイド部が照射するガイド光は本実施の形態に限られるものではなく、例えば、ガイド部は十字上に交差させた光を照射してもよい。
【００４６】
本実施の形態では、スキャナ付プリンタ１の保持部をラベルが貼り付けられるべき位置に案内するガイド部を設けたことにより、操作者は物品のラベルが貼り付けられるべき位置に対して照射されたガイド部からの可視光を目印としてスキャナ付プリンタ１の保持部と当該ラベル貼り付け対象位置との関係を把握することが出来る。これにより、操作者は容易に所望する貼り付け対象位置からずれることなくラベルを貼り付けることが出来るという効果を奏する。
【００４７】
また、入力部を光を照射する光学機構にて構成することによって、ラベルを貼り付けるべき位置に対して光を照射してその貼り付け位置を示すこととなり、そのラベル貼り付け対象位置を目視にて確認することができるため、容易に位置を把握することが出来る効果を奏する。
【００４８】
また、本実施の形態では、入力部を光学機構にて構成し、入力部とガイド部とを兼用させることで新たな部材を設けることなく入力部とガイド部とを一体として構成することが出来、部材を少なくすることが出来る効果を奏する。
【００４９】
また、この場合において、本実施の形態では、入力部であるスキャナ１０１からの反射光を読み取るか否かを切り替える切替部５０１を設けたことで、操作者が所望するタイミングにてバーコード等のシンボル読取のための光照射とスキャナ付プリンタ１を、ラベルを貼り付けるべき位置へと誘導するガイド光照射の切り替えを実現することが出来る効果を奏する。
【００５０】
さらに、例えば、ラベル等の印字媒体が貼り付けられるべき位置とスキャナ付プリンタの保持部とが十分な距離を有した状態で可視光（ガイド光）を照射する場合は、操作者は、比較的幅の狭い可視光（ガイド光）が照射されていても、当該可視光を目視により確認することで貼り付け対象位置と保持部との位置関係を把握することが出来る。一方、保持部が貼り付け対象位置に近接した場合は一定の幅の可視光（ガイド光）であってはスキャナ付プリンタ本体により可視光（ガイド光）が隠れてしまうため、貼り付け対象位置と保持部との位置関係を把握することが難しくなる。予め、物品に照射する可視光をスキャナ付プリンタ本体により隠れない程度の一定幅の可視光を照射させることも可能であるが、かかる場合、必要以上の電力消費を要することにつながり、電力消費の面において無駄が生ずる。そこで、本実施の形態にかかるスキャナ付プリンタ１によれば、ラベルなどの印字媒体が貼り付けられるべき位置とスキャナ付プリンタの保持部との距離が変化したことを検知部が検知すると、光制御部による制御によりガイド部が照射する可視光を変化させるので、適切な可視光（ガイド光）の照射を実現することができる。すなわち、距離が離れている場合は、比較的幅の狭い可視光を物品に照射し、距離が近接する場合は、可視光の幅を広げて照射させる。これにより、無駄な電力消費を防止すると共に、スキャナ付プリンタを貼り付けるべき位置に容易に案内することが可能となる効果を奏する。
【００５１】
本実施の形態にかかるスキャナ付プリンタ１によれば、ラベルなどの印字媒体が貼り付けられるべき位置とスキャナ付プリンタの保持部との距離が近づいたことを検知部が検知すると、保持部を貼り付けるべき位置にガイドする可視光（ガイド光）を、ラベルの幅方向に渡って広げて照射させるのでスキャナ付プリンタが貼り付けるべき位置に近接した場合であっても、操作者からは貼り付ける位置を把握することが容易に可能となる効果を奏する。なお、かかる場合において、ガイド部は縦若しくは横のいずれかの幅方向に可視光を広げるものであってもよい。
【００５２】
なお、特に、アパレル商品等の商品値札に貼り付ける値引き用ラベルは、値引き前の商品に付された商品値札に表示されているバーコードを読み取り不可能とするために、当該バーコードの上に新たに発行した値引きラベルを重ねて貼り付ける必要がある。この場合において、値札に付されているバーコード表示は小さいものであり、従来のスキャナ付プリンタを用いた場合にあっては、スキャナ付プリンタ１の保持部１１０とラベルを貼り付けるべき位置との関係が操作者側から把握することが難しいため、ラベルを操作者が所望する貼り付け位置からずれた位置にラベルの貼り付けを行ってしまうおそれがある。本実施の形態にかかるスキャナ付プリンタによれば、スキャナ付プリンタ１の保持部１１０を、可視光にてラベルを貼り付けるべき位置に案内することが可能となる効果を奏する。また、所望する貼り付け位置に貼り付けを試みると操作者に対して高度の注意を要求することなく、ラベル貼り付け作業を行うことが出来る効果を奏する。
【００５３】
なお、本実施の形態の形態に限られるものではなく、例えば工場等での部品管理の際に本発明にかかる携帯型プリンタを使用するものであってもよい。また、印字媒体としてはラベル以外にも用紙など印字が可能な媒体であればよいことはいうまでもない。
【符号の説明】
【００５４】
１  スキャナ付プリンタ
１０１  スキャナ
１０４  トリガスイッチ
１１０  保持部
５０１  切替部
５０２  読出部
５０３  印刷部
５０４  検知部
５０５  光制御部
【先行技術文献】
【特許文献】
【００５５】
【特許文献１】特開２００６‐３３５４４３公報
【図１】
0005438573.tif 000002
【図２】
0005438573.tif 000003
【図３】
0005438573.tif 000004
【図４】
0005438573.tif 000005
【図５】
0005438573.tif 000006
【図６】
0005438573.tif 000007
【図７】
0005438573.tif 000008